(57)【特許請求の範囲】
【請求項１】
プラズマテレビ画面の画素点の全て又は一部が、画面リフレッシュ同期信号の時点、画素の所在する行をリフレッシュする時点及び画素の所在する列をリフレッシュする時点を含む画素位置情報を持つ光信号を発するように設定するステップと、
スタイラスペンが、前記画面との接触によって画素位置情報を持つ光信号を受信し、光信号における画素位置情報に基づいて画面との接触点位置の画素座標値を算出するとともに、算出された画素座標値をブルートゥース転送方式によってプラズマテレビに送信するステップと、
プラズマテレビが、受信された画素座標値に基づいて、予め設定された操作を実行するか又は対応する画素位置で絵画表示を行うステップと、を含み、
そのうち、前記の光信号における画素位置情報に基づいて画面との接触点位置の画素座標値を算出することが、画素の所在する行をリフレッシュする時点と画面リフレッシュ同期信号の時点との時間差に基づいて画素の縦座標値を得ること、及び、画素の所在する列をリフレッシュする時点と画面リフレッシュ同期信号の時点との時間差に基づいて画素の横座標値を得ることを含むことを特徴とするプラズマテレビの制御方法。
【請求項２】
前記のスタイラスペンが前記画面との接触によって光信号を受信することは、前記スタイラスペンの光結合デバイスが、前記画面との接触によって光信号を採集し、前記スタイラスペンのフィルタ増幅回路が、採集された光信号に対してフィルタ増幅整形処理を行うことを含み、
前記の光信号における画素位置情報に基づいて画面との接触点位置の画素座標値を算出することは、前記スタイラスペンのメインコントローラが、フィルタ増幅整形処理後の光信号における画素位置情報に基づいて画素座標値を算出することを含み、
前記の算出された画素座標値をブルートゥース転送方式によってプラズマテレビに送信することは、前記スタイラスペンのブルートゥースＲＦモジュールが、算出された画素座標値をブルートゥース無線転送方式によってプラズマテレビに送信することを含むことを特徴とする請求項１に記載の方法。
【請求項３】
光結合デバイス、メインコントローラ及びブルートゥースＲＦモジュールを含むブルートゥーススタイラスペンであって、
光結合デバイスが、プラズマテレビ画面との接触によって、画面リフレッシュ同期信号の時点、画素の所在する行をリフレッシュする時点及び画素の所在する列をリフレッシュする時点を含む画素位置情報を持つ光信号を採集するために用いられ、
メインコントローラが、光結合デバイスで採集された光信号における画素位置情報に基づいて光結合デバイスと画面との接触点位置の画素座標値を算出するために用いられ、そのうち、前記の光信号における画素位置情報に基づいて画面との接触点位置の画素座標値を算出することが、画素の所在する行をリフレッシュする時点と画面リフレッシュ同期信号の時点との時間差に基づいて画素の縦座標値を得ること、及び、画素の所在する列をリフレッシュする時点と画面リフレッシュ同期信号の時点との時間差に基づいて画素の横座標値を得ることを含み、
ブルートゥースＲＦモジュールが、メインコントローラで算出された画素座標値をブルートゥース無線転送方式によってプラズマテレビに送信するために用いられることを特徴とするブルートゥーススタイラスペン。
【請求項４】
光結合デバイスで採集された光信号に対してフィルタ増幅整形処理を行ってからメインコントローラに送信するためのフィルタ増幅回路を更に含むことを特徴とする請求項３に記載のブルートゥーススタイラスペン。
【請求項５】
ブルートゥーススタイラスペンのオンオフ、ブルートゥース接続及び光結合デバイスのオンオフを制御するための制御ボタンと、
ブルートゥーススタイラスペンの動作状態を指示するための指示灯と、を更に含むことを特徴とする請求項３又は４に記載のブルートゥーススタイラスペン。
【請求項６】
画面リフレッシュ設定モジュール、画面、ブルートゥース受信モジュール及び操作処理モジュールを含むプラズマテレビであって、
画面リフレッシュ設定モジュールが、画面の画素点の全て又は一部が、画面リフレッシュ同期信号の時点、画素の所在する行をリフレッシュする時点及び画素の所在する列をリフレッシュする時点を含む画素位置情報を持つ光信号を発するように設定するために用いられ、
ブルートゥース受信モジュールが、ブルートゥーススタイラスペンの送信した画素座標値を受信して、且つ画素座標値を操作処理モジュールに送信するために用いられ、
操作処理モジュールが、受信された画素座標値に基づいて、予め設定された操作を実行するか又は対応する画素位置で絵画表示を行うために用いられることを特徴とするプラズマテレビ。
【発明の詳細な説明】
【技術分野】
【０００１】
本発明は、プラズマテレビ技術及びブルートゥース技術分野に関し、特に、プラズマテレビの制御方法、ブルートゥーススタイラスペン及びプラズマテレビに関する。
【背景技術】
【０００２】
プラズマテレビは、軽量で、抗干渉能力が強く、画像が鮮明で色が鮮やかである等の利点を有するため、ますます多くの消費者に好まれているが、現在では、プラズマテレビに対する制御は、主に従来のリモート制御に留まっており、プラズマテレビの適用が大いに制限される。
【０００３】
現在、広く使用されているタッチスクリーン技術は、容量性スクリーンにおける容量の変化に基づいて、接触物体が画面上でスライドする位置を判断し、又は、抵抗性スクリーンにおける抵抗の変化に基づいて、接触物体が画面上でスライドする位置を判断する。しかし、これらの方案は、画面が巨大なテレビにとって、コストが高すぎる。
【発明の概要】
【発明が解決しようとする課題】
【０００４】
これに鑑みて、本発明は、新たな大画面プラズマテレビの、ユーザーエクスペリエンスがよく、コストが低いタッチ制御方案を実現したプラズマテレビの制御方法、ブルートゥーススタイラスペン及びプラズマテレビを提供する。
【課題を解決するための手段】
【０００５】
上記目的を達成するために、本発明の技術方案は、以下のように実現される。
【０００６】
本発明は、プラズマテレビの制御方法を開示しており、該方法は、
プラズマテレビ画面の画素点の全て又は一部が、画素位置情報を持つ光信号を発するように設定するステップと、
スタイラスペンが、前記画面との接触によって、光信号を受信し、光信号における画素位置情報に基づいて画面との接触点位置の画素座標値を算出するとともに、算出された画素座標値をブルートゥース転送方式によってプラズマテレビに送信するステップと、
プラズマテレビが、受信された画素座標値に基づいて、対応する操作を行うステップと、を含む。
【０００７】
前記画素位置情報は、画面リフレッシュ同期信号の時点、画素の所在する行をリフレッシュする時点及び画素の所在する列をリフレッシュする時点を含み、
前記の光信号における画素位置情報に基づいて、画面との接触点位置の画素座標値を算出することは、画素の所在する行をリフレッシュする時点と画面リフレッシュ同期信号の時点との時間差に基づいて、画素の縦座標値を得ること、及び、画素の所在する列をリフレッシュする時点と画面リフレッシュ同期信号の時点との時間差に基づいて、画素の横座標値を得ることを含む。
【０００８】
前記のスタイラスペンが、前記画面との接触によって光信号を受信することは、前記スタイラスペンの光結合デバイスが、前記画面との接触によって光信号を採集し、前記スタイラスペンのフィルタ増幅回路が、採集された光信号に対してフィルタ増幅整形処理を行うことを含み、
前記の光信号における画素位置情報に基づいて、画面との接触点位置の画素座標値を算出することは、前記スタイラスペンのメインコントローラが、フィルタ増幅整形処理後の光信号における画素位置情報に基づいて、画素座標値を算出することを含み、
前記の算出された画素座標値をブルートゥース転送方式によってプラズマテレビに送信することは、前記スタイラスペンのブルートゥースＲＦモジュールが、算出された画素座標値をブルートゥース無線転送方式によってプラズマテレビに送信することを含む。
【０００９】
本発明は、ブルートゥーススタイラスペンを更に開示しており、該スタイラスペンは、光結合デバイス、メインコントローラ及びブルートゥースＲＦモジュールを含み、
光結合デバイスが、プラズマテレビ画面との接触によって画素位置情報を持つ光信号を採集するために用いられ、
メインコントローラが、光結合デバイスで採集された光信号における画素位置情報に基づいて、光結合デバイスと画面との接触点位置の画素座標値を算出するために用いられ、
ブルートゥースＲＦモジュールが、メインコントローラで算出された画素座標値をブルートゥース無線転送方式によってプラズマテレビに送信するために用いられる。
【００１０】
前記光結合デバイスは、プラズマテレビ画面との接触によって、画面リフレッシュ同期信号の時点、画素の所在する行をリフレッシュする時点、及び、画素の所在する列をリフレッシュする時点を持つ光信号を採集し、
前記メインコントローラは、画素の所在する行をリフレッシュする時点と画面リフレッシュ同期信号の時点との時間差に基づいて、画素の縦座標値を得て、画素の所在する列をリフレッシュする時点と画面リフレッシュ同期信号の時点との時間差に基づいて、画素の横座標値を得る。
【００１１】
該ブルートゥーススタイラスペンは、光結合デバイスで採集された光信号に対してフィルタ増幅整形処理を行ってからメインコントローラに送信するためのフィルタ増幅回路を更に含む。
【００１２】
該ブルートゥーススタイラスペンは、
ブルートゥーススタイラスペンのオンオフ、ブルートゥース接続及び光結合デバイスの  オンオフを制御するための制御ボタンと、
ブルートゥーススタイラスペンの動作状態を指示するための指示灯と、を更に含む。
【００１３】
本発明は、プラズマテレビを更に開示しており、該プラズマテレビは、画面リフレッシュ設定モジュール、画面、ブルートゥース受信モジュール及び操作処理モジュールを含み、
画面リフレッシュ設定モジュールが、画面の画素点の全て又は一部が、画素位置情報を持つ光信号を発するように設定するために用いられ、
ブルートゥース受信モジュールが、ブルートゥーススタイラスペンの送信した画素座標値を受信して、且つ画素座標値を操作処理モジュールに送信するために用いられ、
操作処理モジュールが、受信された画素座標値に基づいて、対応する操作を行うために用いられる。
【００１４】
前記画面リフレッシュ設定モジュールは、画面の画素点の全て又は一部が、画面リフレッシュ同期信号の時点、画素の所在する行をリフレッシュする時点及び画素の所在する列をリフレッシュする時点を持つ光信号を発するように設定するために用いられる。
【００１５】
前記操作処理モジュールは、受信された画素座標値に基づいて、予め設定された操作を実行するか又は対応する画素位置で絵画表示を行うために用いられる。
【発明の効果】
【００１６】
上記から分かるように、本発明のような、プラズマテレビ画面の画素点の全て又は一部が、画素位置情報を持つ光信号を発するように設定し、スタイラスペンが、前記画面との接触によって光信号を受信し、光信号における画素位置情報に基づいて、画面との接触点位置の画素座標値を算出するとともに、算出された画素座標値をブルートゥース転送方式によってプラズマテレビに送信し、プラズマテレビが、受信された画素座標値に基づいて、対応する操作を行うという技術方案は、新たなプラズマテレビ制御方案を達成し、しかも、該方案は、ユーザーエクスペリエンスがよく、コストが低い。
【図面の簡単な説明】
【００１７】
【図１】本発明の実施例によるプラズマテレビの制御方法のフローチャート
【図２】本発明の実施例によるブルートゥーススタイラスペンを用いてプラズマテレビ画面で絵画する模式図
【図３】本発明の実施例によるブルートゥーススタイラスペンの構造模式図
【図４】ブルートゥーススタイラスペンの動作状態転換の模式図
【図５】本発明の実施例によるプラズマテレビの構造模式図
【発明を実施するための形態】
【００１８】
本発明の目的、技術方案及び利点が更に明らかになるように、以下、図面を参照しながら、本発明の実施形態を更に詳しく説明する。
【００１９】
図１は、本発明の実施例によるプラズマテレビの制御方法のフローチャートである。図１に示すように、該方法は、以下のステップを含み、
１０１、プラズマテレビ画面の画素点の全て又は一部が、画素位置情報を持つ光信号を発するように設定する。
【００２０】
このステップにおいて、プラズマテレビ画面の画素点の全てが、画素位置情報を持つ光信号を発するように設定してもよいし、プラズマテレビ画面の画素点の一部が、画素位置情報を持つ光信号を発するように設定してもよく、例えば、プラズマテレビ画面上の各行（又は各列）における間隔を置いた画素点が、画素位置情報を持つ光信号を発するように設定してもよい。例えば、各行において、奇数位置にある画素点が、画素位置情報を持つ光信号を発するが、偶数位置にある画素点の光信号が、画素位置情報を持つ必要がなく、従来の形式と同じように、変化する必要がない。
【００２１】
このステップにおいて、画素位置情報の具体的な形式は、実際の状況に基づいて、設定してもよい。本発明の一つの実施例において、画素位置情報は、具体的に、画面リフレッシュ同期信号の時点、画素の所在する行をリフレッシュする時点及び画素の所在する列をリフレッシュする時点である。
【００２２】
プラズマテレビが毎回に画面リフレッシュを完了する時間は、固定したものであり、例えば１５．６ｍｓであり、ここで、画面リフレッシュ同期信号の時点とは、画面をリフレッシュする毎の開始時間である。プラズマテレビが各行をリフレッシュする時点が異なっており、各列をリフレッシュする時点も異なっている。
【００２３】
１０２、スタイラスペンが、前記画面との接触によって光信号を受信し、光信号における画素位置情報に基づいて、画面との接触点位置の画素座標値を算出するとともに、算出された画素座標値をブルートゥース転送方式によってプラズマテレビに送信する。
【００２４】
このステップにおいて、スタイラスペンの光結合デバイスが、前記画面との接触によって光信号を採集し、前記スタイラスペンのフィルタ増幅回路が、採集された光信号に対してフィルタ増幅整形処理を行い、前記スタイラスペンのメインコントローラが、フィルタ増幅整形処理後の光信号における画素位置情報に基づいて、画素座標値を算出し、具体的には、画素の所在する行をリフレッシュする時点と画面リフレッシュ同期信号の時点との時間差に基づいて、画素の縦座標値を得て、画素の所在する列をリフレッシュする時点と画面リフレッシュ同期信号の時点との時間差に基づいて、画素の横座標値を得る。
【００２５】
具体的には、画素の所在する行をリフレッシュする時点と画面リフレッシュ同期信号の時点との時間差に基づいて、画素点の所在するする行が確定でき、即ち画素の縦座標値が確定でき、更に、画素の所在する列をリフレッシュする時点と画面リフレッシュ同期信号の時点との時間差に基づいて、画素の所在するする列が確定でき、即ち画素の横座標値が確定できる。
【００２６】
前記スタイラスペンのブルートゥースＲＦモジュールは、算出された画素座標値をブルートゥース無線転送方式によってプラズマテレビに送信する。
【００２７】
１０３、プラズマテレビが、受信された画素座標値に基づいて、対応する操作を行う。
【００２８】
このステップにおいて、プラズマテレビが、受信された画素座標値に基づいて、予め設定された操作を実行するか（例えばスタイラスペンがタッチした位置は、あるウィンドウを閉じるものである等）又は対応する画素位置で絵画表示を行う。
【００２９】
図１に示す方法において、テレビの画面を変える必要がなく、テレビの画面リフレッシュ時の光信号のフォーマットだけ変えればよい。光信号受信端では低コストの光結合デバイスとメインコントローラチップを用いてプラズマテレビの光信号の採集及びデータ処理を完了し、ブルートゥース方式によってデータの無線転送を実現し、テレビが画素座標値を受信した後、表示を行うか又はそれに応じた操作を行う。
【００３０】
例えば、以下の目的を実現することができる。ペン先でテレビ画面に軽くタッチするのは、マウスのクリック操作に相当し、ペン先でテレビ画面をダブルクリックするのは、コンピュータでのダブルクリック操作に相当し、ペン先を押しながら画面上で移動させるのは、コンピュータで絵画操作を行うのに相当する。図２は、本発明の実施例によるブルートゥーススタイラスペンを用いてプラズマテレビ画面上で絵画する模式図である。ブルートゥーススタイラスペン２０２は、プラズマテレビ２０１の画面上において絵画を行い、スタイラスペン２０２の画面上でのいずれの移動動作もテレビ画面に表示される。
【００３１】
図３は、本発明の実施例によるブルートゥーススタイラスペンの構造模式図である。図３に示すように、ブルートゥーススタイラスペンは、主に、光結合デバイス３０１、フィルタ増幅回路３０２、メインコントローラ３０３及びブルートゥースＲＦモジュール３０４を備え、
光結合デバイス３０１は、プラズマテレビ画面との接触によって画素位置情報を持つ光信号を採集するために用いられ、
フィルタ増幅回路３０２は、光結合デバイス３０１で採集された光信号に対してフィルタ増幅整形処理を行ってからメインコントローラ３０３に送信するために用いられ、
メインコントローラ３０３は、受信された光信号における画素位置情報に基づいて、光結合デバイス３０１と画面との接触点位置の画素座標値を算出するために用いられ、
ブルートゥースＲＦモジュール３０４は、メインコントローラ３０３で算出された画素座標値をブルートゥース無線転送方式によってプラズマテレビに送信するために用いられる。
【００３２】
図３に示すブルートゥーススタイラスペンにおいて、光結合デバイス３０１は、プラズマテレビ画面との接触によって、画面リフレッシュ同期信号の時点、画素の所在する行をリフレッシュする時点、及び、画素の所在する列をリフレッシュする時点を持つ光信号を採集し、
メインコントローラ３０３は、画素の所在する行をリフレッシュする時点と画面リフレッシュ同期信号の時点との時間差に基づいて、画素の縦座標値を得て、画素の所在する列をリフレッシュする時点と画面リフレッシュ同期信号の時点との時間差に基づいて、画素の横座標値を得る。
【００３３】
図３に示すブルートゥーススタイラスペンは、
ブルートゥーススタイラスペンのオンオフ、ブルートゥース接続及び光結合デバイスのオンオフを制御するための制御ボタン３０５と、
ブルートゥーススタイラスペンの動作状態を指示するための指示灯３０６と、を更に含む。
【００３４】
なお、ブルートゥーススタイラスペンは、バッテリ、水晶発振器、メモリ及びＵＳＢ充電アップグレードポート等のその他の部品を更に含んでもよい。
【００３５】
図４は、ブルートゥーススタイラスペンの動作状態転換の模式図である。図４に示すように、本発明におけるブルートゥーススタイラスペンは、６つの動作状態を有し、それぞれが、オフ、ペアリング、ペアリングリストクリア、運転、スリープ及び再接続である。各状態の間の転化関係は、図４に示すようになる。
【００３６】
動作時に、まずは、ブルートゥーススタイラスペンとプラズマテレビとの間のブルートゥース接続を確立する。初回の接続時、ブルートゥーススタイラスペンがアクティブな検索モードに入り、ブルートゥース対応のテレビを検索し、検索終了後、それに最も近いテレビに自動接続する。もし、この前に接続を確立したことがあるならば、起動後、ブルートゥーススタイラスペンは、前回に接続したテレビに自動的に再接続する。ブルートゥース接続に成功した後、ユーザは、スタイラスペンをプラズマテレビ画面上の任意の点に接触させることで制御を行うこともできるし、画面上のテキストウィンドウに書き込み、絵を描く等の操作を行うこともできる。スタイラスペンは、一定期間使わないと自動的に低電力消費モードに入り、ユーザは、再びスタイラスペンを使う必要がある場合、ペンをとって画面をクリックするとすぐに使える。
【００３７】
図５は、本発明の実施例によるプラズマテレビの構造模式図である。図５に示すように、該プラズマテレビは、画面リフレッシュ設定モジュール５０１、画面５０２、ブルートゥース受信モジュール５０３及び操作処理モジュール５０４を含み、
画面リフレッシュ設定モジュール５０１は、画面５０２の画素点の全て又は一部が、画素位置情報を持つ光信号を発するように設定するために用いられ、
ブルートゥース受信モジュール５０３は、ブルートゥーススタイラスペンの送信した画素座標値を受信して、且つ画素座標値を操作処理モジュール５０４に送信するために用いられ、
操作処理モジュール５０４は、受信された画素座標値に基づいて、対応する操作を行い、受信された画素座標値に基づいて、予め設定された操作を実行するか又は画面５０２における対応する画素位置で絵画表示を行う等のために用いられる。
【００３８】
そのうち、前記画面リフレッシュ設定モジュール５０１は、画面５０２の画素点の全て又は一部が、画面リフレッシュ同期信号の時点、画素の所在する行をリフレッシュする時点及び画素の所在する列をリフレッシュする時点を持つ光信号を発するように設定するために用いられる。
【００３９】
以上をまとめると、本発明のような、プラズマテレビ画面の画素点の全て又は一部が、画素位置情報を持つ光信号を発するように設定し、スタイラスペンが、前記画面との接触によって光信号を受信し、光信号における画素位置情報に基づいて、画面との接触点位置の画素座標値を算出するとともに、算出された画素座標値をブルートゥース転送方式によってプラズマテレビに送信し、プラズマテレビが、受信された画素座標値に応じて対応する操作を行うという技術方案は、新たな大画面プラズマテレビのタッチ制御方式を実現し、プラズマテレビの応用分野を広げた。しかも、この方案は、ユーザーエクスペリエンスがよく、コストが低い。該方案は、ブルートゥース技術を用いてデータ転送を行い、汎用性がよく、信号の信頼性が高く、抗干渉能力が強い。そして、市場で入手可能なブルートゥース機能付きのプラズマテレビと互換性がある従来のブルートゥース技術を用いることで、設備の重複性を減らすことができる。また、低電力消費のブルートゥース技術を用いる時の待機時間も、従来の赤外線リモコンに匹敵できるものである。
【００４０】
上述したのは、あくまでも本発明の好ましい実施例であり、本発明の保護範囲を限定するためのものではない。本発明の精神及び原則内になされたあらゆる変更、均等置換、改良等は、いずれも本発明の保護範囲内に含まれるものとする。
【図１】
0005805350.tif 000002
【図２】
0005805350.tif 000003
【図３】
0005805350.tif 000004
【図４】
0005805350.tif 000005
【図５】
0005805350.tif 000006